(57)【要約】      （修正有）【課題】簡易な着脱構造で高い断熱性を有した断熱容器を提供する。【解決手段】断熱容器１００は、カップ状の内容器１０２と、内容器の周囲に着脱容易に取り付けられる筒状の外装体１０３とを含む。外装体は、略截頭錐形に形成され、截頭錐形の底面にあたる第１の開口端と、截頭錐形の截頭面にあたり、第１の開口端と略相似形状、かつ第１の開口端より小さい相似比を有する第２の開口端と、第１の開口端から第２の開口端に向かって縮形する側周面とを備える。内容器は、上方に開放するカップ状の底部１２２に設けられる外装体支持部と、底部から上方に向けて伸びる側壁部とを備える。外装体を内容器に装着した状態で、第２の開口端は、外装体支持部に支持され、側周部と側壁部とが間隔を有するように、外容器が内容器に装着される。【選択図】図１
2017145046.tif 000002
【特許請求の範囲】
【請求項１】
カップ状の内容器と、該内容器の周囲に着脱容易に取り付けられる筒状の外装体とを含む断熱容器であって、
前記外装体は、略截頭錐形に形成され、該截頭錐形の底面にあたる第１の開口端と、該截頭錐形の截頭面にあたり、前記第１の開口端と略相似形状、かつ前記第１の開口端より小さい相似比を有する第２の開口端と、前記第１の開口端から前記第２の開口端に向かって縮径する側周面とを備え、
前記内容器は、上方に開放する前記カップ状の底部に設けられる外装体支持部と、前記底部から上方に向けて伸びる側壁部とを備え、
前記外装体を前記内容器に装着した状態で、前記第２の開口端は、前記外装体支持部に支持され、前記側周部と前記側壁部とが間隔を有するように、前記外容器が前記内容器に装着されることを特徴とする、断熱容器。
【請求項２】
前記外装体支持部は、上方からの平面視で、最外端を結ぶ仮想線が前記第１および第２の開口端と略相似形状、かつ前記第１の開口端よりも小さく、前記第２の開口端よりも大きい相似比を有するように、前記底部から径方向に突出する突出部を形成する、請求項１に記載の断熱容器。
【請求項３】
前記内容器は、前記底部に設けられる高台を備え、
前記高台は、下方に向けて拡径し、最外端を結ぶ仮想線が前記第１および第２の開口端と略相似形状、かつ前記第１の開口端よりも小さく、前記第２の開口端よりも大きい相似比を有し、
前記高台の一部は、前記外装体支持部として機能する、請求項１に記載の断熱容器。
【請求項４】
前記内容器は１枚のシート材料から形成されており、
前記高台は、前記１枚のシートが折り返されて形成されている、請求項３に記載の断熱容器。
【請求項５】
前記内容器は、さらに、前記外装体の前記第２の開口端が前記外装体支持部に接した状態で前記外装体の前記第１の開口端に対応する位置に設けられた膨出部を備え、
前記膨出部は前記第１の開口端と略同一形状かつ略同一相似比で膨出する、請求項１〜４のいずれか一項に記載の断熱容器。
【請求項６】
前記内容器は、前記膨出部の上端から、さらに径方向に延出する外延部を備え、
前記外延部の延端は、前記第１の開口端と相似形状かつ前記第１の開口端より大きい相似比を有する、請求項１〜５のいずれか一項に記載の断熱容器。
【請求項７】
前記外装体は紙材料から形成され、
前記内容器は結晶性プラスチック材料から形成される、請求項１〜６のいずれか一項に記載の断熱容器。
【請求項８】
前記外装体の前記側周部の外側に印刷加工がされている、請求項１〜７のいずれか一項に記載の断熱容器。
【請求項９】
前記外装体支持部は、上方に向けて縮径する傾斜部を前記上側に有し、
前記開口端は、前記傾斜部に接する、請求項１〜８のいずれか一項に記載の断熱容器。
【請求項１０】
前記開口端は円形である、請求項１〜９のいずれか一項に記載の断熱容器。
【請求項１１】
前記開口端は多角形である、請求項１〜１０のいずれか一項に記載の断熱容器。
【請求項１２】
周方向に僅かに変形を許容するカップ状の内容器と、前記内容器の周囲に着脱容易に取り付けられ、周方向に僅かに変形を許容する筒状の外装体とを含む断熱容器において、
前記外装体は、截頭錐形に形成され、該截頭錐形の截頭面を下方に、底面を上方に向けた筒状体であり、該截頭錐形の底面にあたる第１の開口端と、該截頭錐形の截頭面にあたり、前記第１の開口端と略相似形状かつ、前記第１の開口端より小さい相似比を有する第２の開口端と前記第１の開口端から前記第２の開口端に向かって縮径する側周面とを備え、
前記内容器は、上方に開放する前記カップ状の底部に設けられる外装体支持部と、前記底部から上方に向けて伸びる側壁部とを備え、前記外装体支持部は、最外端を結ぶ仮想線が前記第１および第２の開口端と略相似形状、かつ前記第１の開口端よりも小さく、前記第２の開口端よりも大きい相似比を有する断熱容器を利用した断熱容器の形成方法であって、
上方に開放した前記内容器の下方から、前記外装体支持部を超えて前記第１の開口端を通し、続いて、前記内容器または前記外装体を僅かに変形させ、前記外装体支持部を超えて前記第２の開口端を通すことと、
前記第２の開口端を前記外装体支持部の上側に接触させることとを含む、断熱容器の製造方法。
【請求項１３】
周方向に僅かに変形を許容するカップ状の内容器であって、
周囲に着脱容易に取り付けられ、周方向に僅かに変形を許容する筒状の外装体を装着可能に形成され、
前記外装体は、截頭錐形に形成され、該截頭錐形の截頭面を下方に、底面を上方に向けた筒状体であり、該截頭錐形の底面にあたる第１の開口端と、該截頭錐形の截頭面にあたり、前記第１の開口端と略相似形状かつ、前記第１の開口端より小さい相似比を有する第２の開口端と前記第１の開口端から前記第２の開口端に向かって縮径する側周面とを備え、
上方に開放する前記カップ状の底部に設けられる外装体支持部と、前記底部から上方に向けて伸びる側壁部とを備え、
前記外装体支持部は、最外端を結ぶ仮想線が前記第１および第２の開口端と略相似形状、かつ前記第１の開口端よりも小さく、前記第２の開口端よりも大きい相似比を有し、
前記外装体を装着した状態で、第２の開口端は、前記突出部の上側に接し、前記側周部と前記側壁部とが間隙を有するように、前記内容器が前記外装体を支持することを特徴とする、断熱容器の内容器。
【請求項１４】
カップ状の内容器と、該内容器の周囲に着脱容易に取り付けられる筒状の外装体とを含む断熱容器であって、
前記外装体は、筒状の略逆截頭錐形に形成され、
前記内容器は、上方に開放する前記カップ状の底部に設けられる外装体支持部と、前記底部から上方に向けて伸びる側壁部とを備え、
前記外装体を前記内容器に装着した状態で、前記外装体は、その下端を前記外装体支持部に支持され、前記側周部と前記側壁部とが間隔を有するように、前記内容器に装着されることを特徴とする、断熱容器。
【発明の詳細な説明】
【技術分野】
【０００１】
本発明は、カップ形状の断熱容器に関し、さらに詳細には、内容器と外装体とからなり、内容器と外装体とが着脱容易な断熱容器に関する。
【背景技術】
【０００２】
従来から、内容器と外装体によって構成される複合容器には、特許文献１に示すようなものがある。この複合容器では、円形に開放するカップ状の内容器の外側に円筒状の外装体が設けられており、内容器が、径方向に膨出する膨出部を底部付近に備え、外装体が膨出部に係止されることにより着脱自在とされている。すなわち、膨出部が係止手段として作用する。
【０００３】
この複合容器では、外装体が内容器の側壁部に即した形状を有し、側壁部が内容器の側壁部に接して、特に係止手段を設けなくとも装着可能となっているが、係止手段を設けることで、内容器と外装体とが、分離したり相互に回転したりすることなく、強固に結合されている。
【０００４】
また、別の容器として、特許文献２に示すような内容器と外装体によって構成される複合容器がある。この複合容器は、内容器の側壁部と外装体の側周部とが接することなく中空構造とされることにより、断熱性を高め、食品を保温する効果を奏し、例えば、インスタントラーメン等の即席食品の容器として利用されている。
【０００５】
この複合容器では、内容器と外装体とが上端部および下端部において接着されることにより、外装体が内容器に固定して装着される。これにより、断熱性を高めるべく中空構造を採用しても、内容器と外装体とが、分離することのなく、強固に結合されている。
【０００６】
また、別の容器として、特許文献３に示すような内容器と外装体によって構成される複合容器がある。この複合容器は、特許文献２と同様に、内容器の側壁部と外装体の側周部とが接することなく中空構造とされることにより、断熱性を高め、食品の保温の効果を奏する。
【０００７】
この複合容器では、外装体の下端部が内側に折り畳まれ、内容器に形成された凹部に嵌合することにより外装体が内容器に固定して装着される。これにより、断熱性を高めるべく中空構造を採用しても、中空構造を成す内容器と外装体とが分離しにくい状態で強固に結合されている。
【０００８】
以上のように、従来の内容器と外装体とからなる複合容器は、外装体を内容器に強固に結合するために、種々の工夫がされている。
【先行技術文献】
【特許文献】
【０００９】
【特許文献１】特開２００４−２８４６８３号公報
【特許文献２】特開平０５−０１６９７７号公報
【特許文献３】特開２００７−１９１１８０号公報
【発明の概要】
【発明が解決しようとする課題】
【００１０】
しかし、特許文献１の複合容器では、外装体を内容器に強固に結合するために、外装部の側周面が内容器の側壁部に接している。したがって、この複合容器の断熱性は高くない。また、特許文献２の断熱容器では、中空構造とすることで断熱性は高いが、外装体を内容器に接着しているため、着脱が容易ではない。さらに、特許文献３の複合容器では、特許文献２の複合容器と同様に、中空構造とすることで断熱性は高いが、外装体の下部を折り曲げ内容器に嵌合させるため、外装体の加工が煩雑となる。
【００１１】
本発明は、上記のような複合容器の課題を解決すべくなされたもので、簡易な着脱構造で高い断熱性を有した断熱容器を提供することを目的とする。
【課題を解決するための手段】
【００１２】
本発明に係る断熱容器は、カップ状の内容器と、該内容器の周囲に着脱容易に取り付けられる筒状の外装体とを含む。前記外装体は、略截頭錐形に形成され、該截頭錐形の底面にあたる第１の開口端と、該截頭錐形の截頭面にあたり、前記第１の開口端と略相似形状、かつ前記第１の開口端より小さい相似比を有する第２の開口端と、前記第１の開口端から前記第２の開口端に向かって縮径する側周面とを備え、前記内容器は、上方に開放する前記カップ状の底部に設けられる外装体支持部と、前記底部から上方に向けて伸びる側壁部とを備え、前記外装体を前記内容器に装着した状態で、前記第２の開口端は、前記外装体支持部に支持され、前記側周部と前記側壁部とが間隔を有するように、前記外容器が前記内容器に装着されることを特徴とする。
【００１３】
前記内容器は、上方に開放する前記カップ状の底部に設けられる外装体支持部と、前記底部から上方に向けて、側面視で、略直線状に延びる側壁部とを備え、前記外装体支持部は、平面視で、最外端を結ぶ仮想線が前記第１および第２の開口端と略相似形状、かつ前記第１の開口端に対し相似比が小さく、前記第２の開口端よりも相似比が大きくなるように形成されており、前記外装体が前記内容器に装着した状態で、第２の開口端は前記外装体支持部に接し、前記側周部と前記側壁部とが間隔を有するように、前記外容器が前記内容器に装着される。
【００１４】
本発明に係る断熱容器によれば、内容器の側壁部と外装体の側周部とが間隔を有するように内容器の形状と外装体の形状が決定されている。これにより、該間隔の空気が断熱材として作用し、内容器と外容器とが一体となって断熱容器として機能する。さらに、外装体は、端部が折り曲げられることなく、筒状に形成されており、載頭錐形の底面および載頭面にあたる第１および第２の開口端が端面となっている。この第２の開口端が内容器の外装体支持部に接することにより、外装体を内容器に接着や嵌合させることなく支持することができ、外装体を内容器に対して着脱容易に設けることができる。これにより、簡易な着脱構造で高い断熱性を有した断熱容器を提供できる。
【００１５】
前記断熱容器において、前記外装体支持部は、上方からの平面視で、最外端を結ぶ仮想線が前記第１および第２の開口端と略相似形状、かつ前記第１の開口端よりも小さく、前記第２の開口端よりも大きい相似比を有するように、前記底部から径方向に突出する突出部を形成していてもよい。
【００１６】
そのようにすれば、簡易な構造で内容器を製造することできるため、断熱容器、特に内容器の製造が容易になる。また、内容器のスタックも容易になり、内容器の保管スペースも小さくできる。
【００１７】
また、前記内容器は、前記底部に設けられる高台を備え、前記高台は、下方に向けて拡径し、最外端を結ぶ仮想線が前記第１および第２の開口端と略相似形状、かつ前記第１の開口端よりも小さく、前記第２の開口端よりも大きい相似比を有し、前記高台の一部は、前記外装体支持部として機能するようにしてもよい。
【００１８】
そのようにすれば、断熱容器を持つときに、底部から下方に伸びる高台の下端とカップ状の開口部の上端とを上下から挟むように指で把持することができ、内容物の熱が指に伝わることを抑止し、火傷等を防止することができる。
【００１９】
さらに、前記した高台を備える断熱容器において、前記内容器は１枚のシート材料から形成されており、前記高台は、前記１枚のシートが折り返されて形成されててもよい。
【００２０】
そのようにすれば、外装体を支持する高台が二重構造となり、外装体を堅固に支持することができる。
【００２１】
前記内容器は、さらに、前記外装体の前記第２の開口端が前記突出部の上側に接した状態で前記外装体の前記第１の開口端に対応する位置に設けられた膨出部を備え、前記膨出部は、平面視で、最外端を結ぶ仮想線が前記第１の開口端と略同一形状かつ略同一相似比となるように膨出する。
【００２２】
そのような断熱容器によれば、外装体は、内容器に対して相対的に上方に移動しても、側面視で、略直線状に延び、下方ほど相互に間隔の縮まる側周面が内容器の膨出部に接することになり、膨出部を乗り越えることがないため、上方に抜けて分離することが防止される。
【００２３】
前記内容器は、前記膨出部の開放方向の端部から、さらに径方向に延出する外延部を備え、前記外延部の延端は、前記第１の開口端と相似形状かつ前記第１の開口端に対して相似比が大きくてもよい。
【００２４】
そのような断熱容器によれば、外装体は、内容器に対して相対的に上方に移動しても、外装体の第１の開口端が内容器の外延部に接することになり、外延部を乗り越えることがないため、上方に抜けることを防止される。
【００２５】
前記外装体は紙材料から形成され、前記内容器は結晶性プラスティック材料から形成されていてもよい。結晶性ポリエチレンテレフタレート（以下、「Ｃ‐ＰＥＴ」とも称する）に代表される結晶性のプラスティックは、耐熱性が高い(例えば、Ｃ‐ＰＥＴであれば２２０度の耐熱性がある。)が、二次収縮の割合が大きく、かつ文字の印刷等の装飾に不向きという特徴を有する。したがって、内容器が結晶性のプラスティック材料であれば、高温の収容物を収容することができる反面、形状の設計に二次収縮を考慮する必要があり、かつ装飾する場合は表面加工等が必要になる場合がある。
【００２６】
しかし、そのような断熱容器によれば、前記内容器は結晶性プラスティック材料から形成されているので、耐熱性の高い容器を提供できるにもかかわらず、紙材料から形成される外装体により中空構造が形成されるので、高い断熱性を有し、高温の収容物を収容する際に大きな効果を奏する。すなわち、断熱性効果の影響が大きい高温の収容物にも対応できる。
【００２７】
さらに、外装体は、第２の開口端を内容器の外装体支持部に接する形状となっており、内容器に接着や嵌合することなく支持されており、結晶性プラスティック材料の内容器が二次収縮で縮んだ場合であっても、外装体支持部に第２の開口端が接し続けるように外装体支持部の形状を設計すれば、安定して外装体が支持される。また、内容器の側面を覆うように外装体が装着されることになるため、外装体に装飾を施すことにより、断熱容器全体として装飾が容易となる。
【００２８】
本発明にかかる断熱容器の製造方法は、周方向に若干の変形を許容するカップ状の内容器と、前記内容器の周囲に着脱容易に取り付けられ、周方向に若干の変形を許容する筒状の外装体とを含む断熱容器において、前記外装体は、截頭錐形に形成され、該截頭錐形の截頭面を下方に、底面を上方に向けた筒状体であり、該截頭錐形の底面にあたる第１の開口端と、該截頭錐形の截頭面にあたり、前記第１の開口端と略相似形状かつ、前記第１の開口端より小さい相似比を有する第２の開口端と前記第１の開口端から前記第２の開口端に向かって縮径する側周面とを備え、前記内容器は、上方に開放する前記カップ状の底部に設けられる外装体支持部と、前記底部から上方に向けて伸びる側壁部とを備え、前記外装体支持部は、最外端を結ぶ仮想線が前記第１および第２の開口端と略相似形状、かつ前記第１の開口端よりも小さく、前記第２の開口端よりも大きい相似比を有する断熱容器を利用する。
【００２９】
前記断熱容器の製造方法は、前記外装体支持部を超えて前記第１の開口端を通し、続いて、前記内容器または前記外装体を若干変形させ、前記外装体支持部を超えて前記第２の開口端を通すことと、前記第２の開口端を前記外装体支持部に接触させることとを含む。
【００３０】
本発明に係る断熱容器の製造方法によれば、内容器の側壁部と外装体の側周部とが間隔を有するように内容器の形状と外装体の形状が決定され、該間隔の空気が断熱材として作用し、断熱容器として機能する断熱容器を提供できる。さらに、外装体は、端部が折り曲げられることなく、筒状に形成されており、第２の開口端が外装体支持部に接することにより、外装体を内容器に接着や嵌合させることなく支持することができ、外装体を内容器に対して着脱容易に断熱容器を製造できる。
【００３１】
本発明に係る断熱容器の内容器は、周方向に若干の変形を許容するカップ状であり、周囲に着脱容易に取り付けられ、周方向に若干の変形を許容する筒状の外装体を装着可能に形成される。前記外装体は、截頭錐形に形成され、該截頭錐形の截頭面を下方に、底面を上方に向けた筒状体であり、該截頭錐形の底面にあたる第１の開口端と、該截頭錐形の截頭面にあたり、前記第１の開口端と略相似形状かつ、前記第１の開口端より小さい相似比を有する第２の開口端と前記第１の開口端から前記第２の開口端に向かって縮径する側周面とを備える。このうち容器は、上方に開放する前記カップ状の底部に設けられる外装体支持部と、前記底部から上方に向けて伸びる側壁部とを備え、前記外装体支持部は、最外端を結ぶ仮想線が前記第１および第２の開口端と略相似形状、かつ前記第１の開口端よりも小さく、前記第２の開口端よりも大きい相似比を有し、前記外装体を装着した状態で、第２の開口端は、前記外装体支持部に接し、前記側周部と前記側壁部とが間隙を有するように、前記内容器が前記外装体を支持することを特徴とする。
【００３２】
本発明に係る断熱容器の内容器によれば、内容器の側壁部と外装体の側周部とが間隔を有するように内容器の形状と外装体の形状が決定され、該間隔の空気が断熱材として作用し、断熱容器として機能する断熱容器を提供できる。さらに、外装体は、端部が折り曲げられることなく、筒状に形成されており、第２の開口端が外装体支持部に接することにより、外装体を内容器に接着や嵌合させることなく支持することができ、外装体を内容器に対して着脱容易に断熱容器を製造できる。
【発明の効果】
【００３３】
本発明は、簡易な着脱構造で高い断熱性を有する断熱容器を提供できる。
【図面の簡単な説明】
【００３４】
【図１】本発明の実施の第１の形態に係る断熱容器の概略斜視図である。
【図２】本発明の実施の第１の形態に係る断熱容器の外装体の斜視図である。
【図３】本発明の実施の第１の形態に係る断熱容器の外装体の展開図である。
【図４】本発明の実施の第１の形態に係る断熱容器の内容器の概略斜視図である。
【図５】本発明の実施の第１の形態に係る断熱容器の内容器の正面図である。
【図６】本発明の実施の第１の形態に係る断熱容器の内容器の平面図である。
【図７】本発明の実施の第１の形態に係る断熱容器の内容器の底面図である。
【図８】本発明の実施の第１の形態に係る断熱容器の内容器の側断面図である。
【図９】図１に示す断熱容器のＶ１の部分を拡大して示す断面斜視図である。
【図１０】図１に示す断熱容器のＷ１の部分を拡大して示す断面斜視図である。
【図１１】本発明の実施の形態に係る断熱容器の製造方法を示すフロー図である。
【図１２】本発明の実施の形態に係る断熱容器の利用方法を示すフロー図である。
【図１３】本発明の実施の第２の形態に係る断熱容器の概略斜視図である。
【図１４】本発明の実施の第２の形態に係る断熱容器の内容器の概略斜視図である。
【図１５】本発明の実施の第２の形態に係る断熱容器の内容器の正面図である。
【図１６】本発明の実施の第２の形態に係る断熱容器の内容器の平面図である。
【図１７】本発明の実施の第２の形態に係る断熱容器の内容器の底面図である。
【図１８】本発明の実施の第２の形態に係る断熱容器の内容器の側断面図である。
【図１９】図１に示す断熱容器のＶ２の部分を拡大して示す側断面図である。
【図２０】図１に示す断熱容器のＷ２の部分を拡大して示す側断面図である。
【図２１】本発明の実施の形態に係る断熱容器の内容器の第１の変形例(突出部が不連続の内容器)を示す図である。
【図２２】本発明の実施の形態に係る断熱容器の内容器の第２の変形例(開口が四角形の内容器)を示す図である。
【発明を実施するための形態】
【００３５】
本発明の実施の形態に係る断熱容器について、図面を参照しつつ説明する。断熱容器には、第１の実施の形態として断熱容器１００と、第２の実施の形態として断熱容器２００とを含む。
【００３６】
まず、第１の実施の形態に係る断熱容器１００について説明する。図１は、本発明の実施の形態に係る断熱容器１００の斜視図を示す。図１（Ａ）は、断熱容器１００の上方斜視図であり、図１（Ｂ）は、断熱容器１００の下方斜視図である。断熱容器１００は、二重容器であり、カップ状の内容器１０２と、筒状の外装体１０３とを含む。断熱容器１００は、上方に開放する開口１１１と、底１１２を備える。外装体１０３は、内容器１０２に着脱容易に取り付けられる。
【００３７】
図２は、本発明の実施の形態に係る断熱容器１００の外装体１０３の斜視図である。図２（Ａ）は第１の開口端１３１を上方に、第２の開口端１３２を下方に向けた図であり、図２（Ｂ）は第１の開口端１３１を下方に、第２の開口端１３２を上方に向けた図である。
【００３８】
外装体１０３は、筒状の載頭円錐形に形成されている。したがって、図２(Ａ)は、載頭円錐形の外装体１０３の載頭面を下にした状態、すなわち、逆載頭円錐形の状態を示し、図２(Ｂ)は、載頭円錐形の外装体１０３の載頭面を上にした状態、すなわち、載頭円錐形の状態を示す。
【００３９】
外装体１０３は、筒状に形成されており、図２(Ａ)に示すように、載頭円錐形の底面にあたる第１の開口端１３１を備え、図２(Ｂ)に示すように、載頭円錐形の載頭面にあたる第２の開口端１３２を備える。また、外装体１０３は、第１の開口端１３１から第２の開口端１３２に向かって縮径する側周面１３３を備える。
【００４０】
第１の開口端１３１と第２の開口端１３２とは、載頭円錐形の中心線に対して垂直な関係におかれ、平行面となっている。すなわち、外装体１０３は、正円錐を底面に平行となるように載頭した載頭円錐形である。第１および第２の開口端１３１，１３２は、内側、または外側に折り畳まれることなく端縁となっている。
【００４１】
第１および第２の開口端１３１,１３２は、正円の形状で、かつ第１の開口端１３１は第２の開口端１３２よりも大きくなっている。すなわち、第２の開口端１３２は、第１の開口端１３１と相似形状、かつ第１の開口端１３１に対し相似比が小さくなっている。これにより、外装体１０３は、本実施の形態では、載頭円錐形の筒状に形成されている。
【００４２】
側周面１３３は、載頭円錐形の底面にあたる第１の開口端１３１から載頭面にかけて一定の割合で均一に縮径する。すなわち、側周面１３３は、側面視で、下方ほど間隔が狭くなるように(逆ハの字に)直線状に延びる。側周面１３３は、外側または内側に印刷加工が施され、文字や図形等が印刷されていてもよい。
【００４３】
図３は、外装体１０３を展開した展開図を示す。外装体１０３は、扇の扇面の形状をした１枚の紙材料１０３ａを巻くことにより形成される。紙材料１０３ａは、扇面の両端に、重ね合わせて結合する一対の貼合部１０３ｂを備え、貼合部１０３ｂを結合することにより、載頭円錐形に形成される。紙材料１０３ａは、プラスティック材料に比較して、印刷加工が容易である。本実施の形態において、第１の開口端、第２の開口端は直線状に形成されてるが、第１の開口端、第２の開口端は、外装体として後述する内容器に支持されれば、波線状等の他の形状に形成されていてもよい。
【００４４】
図４は、本発明の実施の形態に係る断熱容器１００の内容器１０２の斜視図である。また、図５は内容器１０２の正面図、図６は内容器１０２の平面図、図７は内容器１０２の底面図、図８は内容器１０２の側断面図である。なお、背面図と、右側面図と、左側面図とは、正面図と同一になる。
【００４５】
内容器１０２は、カップ状に形成されており、上方に開放する円形の開口部１２１と、カップの底を形成する底部１２２とを有する。さらに、内容器１０２は、開口部１２１に膨出部１２４と、底部１２２に突出部１２５と、膨出部１２４と突出１２５をつなぐ側壁部１２６とを備える。膨出部１２４は、突出部１２５と相似形状、かつ突出部１２５に対して相似比が大きい。したがって、側壁部１２６は、下方に縮径するように形成されている。
【００４６】
内容器１０２は、膨出部１２４が周方向にわたって膨出することでフランジＦを形成し、さらに膨出部１２４の上端から径(外周)方向に延出する外延部１２７を有する。外延部１２７は、膨出部の上端から水平方向に延出したのち、一度下方に折れ、再び水平方向に延出している。外延部１２７は、周方向にわたって延出することで環状に形成されている。
【００４７】
膨出部１２４は、平面視で、径方向の最外端を結ぶ仮想線１２４Ｉが外装体１０３の第１の開口端１３１と相似形状、かつ第１の開口端１３１に対して相似比は僅かに小さくなるように形成されている。本実施の形態において、フランジＦの外周が正円に形成されており、膨出部１２４の最外端を結ぶ仮想線１２４Ｉと一致する。膨出部１２４は、側面視で、矩形状に形成されており、側壁部１２６との境界である下側に段１２８を形成する。側壁部１２６は段１２８から下方に向けて縮径する。
【００４８】
突出部１２５は、平面視で、径方向の最外端を結ぶ仮想線１２５Ｉが外装体１０３の第１の開口端１３１および第２の開口端１３２と相似形状、かつ第１の開口端１３１に対して相似比は小さく、第２の開口端１３２に対して相似比は大きくなるように形成されている。突出部１２５は径方向に突出し、周方向にわたって突出することで鍔部Ｇを形成する。
【００４９】
本実施の形態において、鍔部Ｇの外周が正円に形成されており、突出部１２５の最外端を結ぶ仮想線１２５Ｉと一致する。すなわち、鍔部Ｇの外周は、外縁が第１の開口端１３１よりも小さく、第２の開口端１３２よりも小さい正円形の環状に形成されている。
【００５０】
突出部１２５は、側面視で、くの字形状に形成され、上側の傾斜部１２５ａと下側の傾斜部１２５ｂを有し、側壁部１２６と上側の傾斜部１２５ａとの境界に括れ１２９を形成する。側壁部１２６は括れ１２９から上方に向けて拡径する。しかし、突出部１２５は、例えば、側面視で、コの字の形状に形成されていてもよく、上側の水平部と下側の水平部を有し、側壁部と上側の傾斜部との境界に段を形成してもよい。
【００５１】
側壁部１２６は、全体的に下方にかけて縮径しており、外装体１０３の側周部と概ね平行な形状となる。しかし、詳細には、側壁部１２６の上側の略１／４は、縮径の割合が大きい第１の側壁部１２６ａとなり、側壁部１２６の下側の略３／４は、縮径の割合が小さい第２の側壁部１２６ｂとなる。側壁部１２６は、外装体１０３の側周部と略同一の長さ寸法を有する。側壁部１２６は、側面視で、略直線的に延び、第１の側壁部１２６ａと第２の側壁部１２６ｂとは、それぞれ異なる角度で直線状に延びている。
【００５２】
断熱容器１００の開口１１１は、内容器１０２の開口部１２１に相当し、断熱容器の底１１２は、後述する内容器１０２の底部１２２に相当する。
【００５３】
内容器１０２は、結晶性プラスティックを材料として真空成型により形成される。結晶性のプラスティックとして、結晶性のポリプロピレン（ＰＰ）、結晶性のポリエチレンテレフタレート（ＰＥＴ）、結晶性のポリ乳酸（ＰＬＡ）等がある。結晶性プラスティックは、装飾に不向きであり、また、熱収縮が起こりやすい。内容器１０２は、一般的に、真空成型時に一次収縮し、高温の充填物を充填された時に二次収縮する。ポリ乳酸は廃棄が容易で、エコ材料として利用される。
【００５４】
図１、図９および図１０を参照して、外装体１０３が内容器１０２に装着されている状態を説明する。図９は、本発明の実施の形態に係る断熱容器１００において、図１のＶの部分の拡大断面斜視図を示し、図１０は、図１のＷの部分の拡大断面斜視図を示す。
【００５５】
断熱容器１００は、内容器１０２の側壁部１２６と外装体１０３の側周面１３３とが間隔を有するように内容器１０２に外装体１０３が装着され、これにより、中空構造となる。断熱容器１００は、中空構造となることにより、断熱効果が高まる。
【００５６】
外装体１０３は、内容器１０２に着脱可能に支持される。本実施の形態では、外装体１０３が筒状に形成された後、内容器１０２の下側からはめ込まれることにより装着される。はめ込みの作業は相対的なもので、内容器１０２を固定し、下側から外装体１０３をはめ込んでもよいし、外装体１０３を固定し、上側から内容器１０２をはめ込んでもよい。
【００５７】
外装体１０３の第２の開口端１３２は、図９に示すように、突出部１２５の上側の傾斜部１２５ａに接して、外装体１０３は、鍔部Ｇに下方から支持される。内容器１０２は収縮すること場合があるが、その場合であっても、上側の傾斜部１２５ａのいずれかの位置に接する。したがって、本実施の形態において、突出部１２５は、外装体支持部として機能し、特に、上側の傾斜部１２５ａが外装体支持部として機能している。
【００５８】
外装体１０３の第１の開口端１３１の内側付近は、膨出部１２４の下側の角１２４ａに接し、外装体１０３は、フランジＦに支持される。しかし、外装体１０３は、フランジＦに支持されなくても、第２の開口端１３２が鍔部Ｇに支持されていれば、内容器１０２に装着されて維持される。たとえば、内容器１０２が設計値以上に収縮した場合であって、外装体１０３の第１の開口端１３１の内側付近がフランジＦに接しない状態であっても、外装体１０３の第２の開口端３２が内容器１０２の鍔部Ｇに接していれば、中空構造を維持される。
【００５９】
外装体１０３は、断熱容器１００が作業者に把持されるなどの場合に、径方向の内側にむけて応力を受ける。このとき、外装体１０３は、フランジＦと鍔部Ｇとに接して支持され、外装体１０３が大きく変形しなければ、断熱容器１００は中空構造を維持される。
【００６０】
外装体１０３は、断熱容器１００が作業者に外装体１０３を把持され、持ち上げられる場合に、内容器１０２に対して相対的に上方に移動しようとする。このとき、外装体１０３の縮径する側周面１３３が内容器１０２の下側の角１２４ａに接している場合は、外装体１０３がフランジＦに支持されて、上方向および内方向に対して、中空構造が維持される。
【００６１】
他方、外装体１０３の縮径する側周面１３３が内容器１０２の膨出部１２４の下側の角１２４ａに接していない場合は、外装体１０３の第１の開口端１３１が内容器１０２の外延部１２７に接するまで外装体１０３が内容器１０２に対して相対的に上方に移動する。これにより、外装体１０３は、上方向に対しては外延部１２７に支持され、内方向に対しては膨出部１２４の下側の角１２４ａに支持されることになり、中空構造が維持される。
【００６２】
外装体１０３が内容器１０２に対して相対的に上方向に移動するとき、膨出部１２４の下の角１２４ａが１側周面１３３の内側に接する前に、第１の開口端１３１が、内容器１０２の外延部１２７に接する場合がある。このときは、外装体１０３が上方に応力を受けており、内容器１０２が外装体１０３に支持される。
【００６３】
本発明の実施の形態に係る断熱容器１００の製造方法について図１１を用いて説明する。図１１は、断熱容器１００の製造方法のフロー図である。
【００６４】
まず、上記で説明した内容器１０２と外装体１０３とが準備される(Ｍ−１)。内容器１０２は、例えば、真空成型ののちに、多数を重ねられたスタック群として保管されており、そのスタック群から１つずつ取り出して準備される。外装体１０３は、展開された紙材料１０３ａの状態で束として保管されており、その束から１枚ずつ取り出して、貼合部１０３ｂを重ね合わせて貼り合わせることで載頭円錐形に形成されて準備される。
【００６５】
次いで、外装体１０３が、内容器１０２の底側からはめ込まれる。このとき、まずは、外装体１０３の第１の開口端３１が、内容器１０２の鍔部Ｇを超え相対移動する(Ｍ−２)。外装体１０３の第１の開口端１３１は、内容器１０２の鍔部Ｇに対して相似比が大きいので、障害なく内容器１０２の鍔部Ｇを通過する。
【００６６】
続いて、第２の開口端１３２が内容器１０２の鍔部Ｇを超えていく(Ｍ−３)。外装体１０３の第２の開口端１３２は、内容器１０２の鍔部Ｇに対して相似比が小さいため、外装体１０３および内容器１０２の少なくともいずれか一方が僅かに変形し、第２の開口端１３２が鍔部Ｇを乗り越える。これにより、外装体１０３が、内容器１０２の底側からはめ込まれる。本実施の形態において、外装体１０３は、第２の開口端１３２が内容器１０２の鍔部Ｇに支持されればよく、その他の部分がはめ込みの障害とならないように設計されている。
【００６７】
次いで、外装体１０３の第２の開口端１３２が鍔部Ｇの上側に接する(Ｍ−４)。外装体１０３は重力により下方向に移動する力が働き、鍔部Ｇを乗り越えた外装体１０３の第２の開口端１３２は、内容器１０２の鍔部Ｇに対して相似比が小さいため、突出部１２５の上側の傾斜部１２５ａに接する。これにより、外装体１０３は、内容器１０２の鍔部Ｇに支持されて装着される。
【００６８】
以上のように、断熱容器１００が製造される。このとき、内容器１０２の側壁部１２６と外装体１０３の側周部１３３は、側面視で、略同一の長さ寸法を有するため、外装体１０３の第１の開口端１３１は、内容器１０２の膨出部１２４付近に位置する。また、内容器１０２の側壁部１２６と外装体１０３の側周面３３とは、間隔を置いており、断熱容器１００は中空構造となっている。
【００６９】
本実施の形態において、筒状に形成された外装体１０３を内容器１０２に装着して断熱容器１００が形成されたが、展開された外装体１０３を内容器１０２に巻き付けるようにして筒状に形成して、外装体３を内容器１０２に装着してもよい。
【００７０】
次に、本発明の実施の形態に係る断熱容器１００の利用方法について図１２を用いて説明する。図１２は、断熱容器１００の利用方法のフロー図である。
【００７１】
まず、断熱容器１００の内容器１０２が準備される(Ｕ−１)。内容器１０２は、多数が重ねられたスタック束として保管されており、その束から１つずつ取り出して準備される。
【００７２】
次いで、内容器１０２に充填物が充填される(Ｕ−２)。この充填物が高温であると内容器１０２は二次収縮する。
【００７３】
次いで、断熱容器１００が封緘される(Ｕ−３)。断熱容器１００は、充填物が充填された状態で、内容器１０２の膨出部２４の上側に、開口部１２１よりも若干大きい蓋(図示しない)が接着されて封止される。
【００７４】
次いで、高温の充填物が充填された内容器１０２に外装体１０３が装着される(Ｕ−４)。これにより断熱容器１００が製造される。この装着は、先に説明した断熱容器１００の製造方法と同様である。
【００７５】
次いで、断熱容器１００が保管される(Ｕ−５)。充填物を充填した断熱容器１００は、商品として、段ボール箱のような集積容器に集積されて倉庫で貯留されたり、市場に流通して店舗に陳列されることにより、保管される。
【００７６】
次いで、断熱容器１００が加熱される(Ｕ−６)。断熱容器１００は、商品として、個別に販売され、個別に加熱される。例えば、電子レンジ等により１００度前後に加熱される。このとき、内容器１０２は、充填物が加熱されることにより高温となるが、外装体１０３は、中空構造により直接伝熱を受けることがない。したがって、断熱容器１００は、中空構造により高い保温効果を奏する。また、作業者が断熱容器１００を把持しようとしても、火傷のような熱被害を受けることがない。
【００７７】
次いで、断熱容器１００から充填物が取り出される(Ｕ−７)。断熱容器１００は、例えば、充填物が食されることにより充填物が取り出される。充填物を取り出された断熱容器１００は空になる。
【００７８】
次いで、空になった断熱容器１００が内容器１０２と外装体１０３とに分離される(Ｕ−８)。外装体１０３は、内容器１０２から相対的に下方向けて移動するように取り外される。このとき、外装体１０３の第２の開口端１３２が内容器１０２の鍔部Ｇを乗り越える必要があり、作業者の応力により、内容器１０２および外装体１０３の少なくともいずれか一方が変形して、外装体１０３が取り外される。このとき、外装体１０３を支持する上側の傾斜部１２５ａは、外装体１０３の第２の開口端１３２を外周方向に案内し、外装体１０３の取り外しを容易にする。
【００７９】
内容器１０２と外装体１０３とが廃棄処理される(Ｕ−９)。内容器１０２と外装体１０３とは分離しているため、別々に処理できる。紙の外装体１０３と結晶性プラスティックの内容器１０２とは、廃棄処理のプロセスが異なるが、別々に処理できるため、廃棄処理が容易になる。
【００８０】
本実施の形態において、内容器１０２に充填物を充填した後に外装体１０３を装着したが、外装体３を装着した後に充填物を充填してもよい。しかし、充填作業により紙の外装体１０３が吸湿等により劣化する場合があるため、充填作業を先にする方がよい。
【００８１】
また、本実施の形態において、断熱容器１００を封緘して保管する例を示したが、断熱容器１００は、内容物を充填され、封緘されることなく取り出されるような手順で利用されてもよい。また、本実施の形態において、内容物を充填された状態で加熱する例を示したが、断熱容器１００は、高温の内容物を直接充填されてもよい。
【００８２】
つぎに、第２の実施の形態に係る断熱容器２００について説明する。図１３は、本発明の実施の形態に係る断熱容器２００の斜視図を示す。図１３（Ａ）は、断熱容器２００の上方斜視図であり、図１３（Ｂ）は、断熱容器２００の下方斜視図である。断熱容器２００は、二重容器であり、カップ状の内容器２０２と、筒状の外装体２０３とを含む。
【００８３】
断熱容器２００は、上方に開放する開口２１１と、底２１２を備える。外装体２０３は、内容器２０２に着脱容易に取り付けられる。外装体２０３は筒状に形成されており、第１の開口端２３１と、第２の開口端２３２と、側周面２３３とを備え、図１３に示すように略截頭円錐形に形成されている。すなわち、外装体２０３は、第１の実施の形態の外装体１０３と、サイズは異なるが、同様の構成を有する。よって、詳細な説明は省略する。
【００８４】
図１４は、本発明の実施の形態に係る断熱容器２００の内容器２０２の斜視図である。また、図１５は内容器２０２の正面図、図１６は内容器２０２の平面図、図１７は内容器２０２の底面図、図１８は側断面図である。なお、背面図と、右側面図と、左側面図とは、正面図と同一になる。
【００８５】
内容器２０２は、カップ状に形成されており、主に、上方に開放する円形の開口部２２１と、カップの底を形成する底部２２２と、開口部２２１と底部２２２をつなぐ側壁部２２６とを備える。さらに、内容器２０２は、開口部２２１に膨出部２２４を備え、また、底部２２２の底面に高台２２５を備える。
【００８６】
内容器２０２の膨出部２２４は、第１の実施の形態の膨出部１２４と同一の構成を有し、さらに膨出部２２４の上端から径(外周)方向に延出する外延部２２７を有する。外延部２２７は、周方向にわたって延出することで環状に形成されている。膨出部２２４は、高台２２５と相似形状、かつ高台２２５に対して相似比が大きい。したがって、側壁部２２６は、下方に縮径するように形成されている。
【００８７】
内容器２０２は、第１の実施の形態の内容器１０２と同様に、膨出部２２４が周方向にわたって膨出することでフランジＦを形成し、さらに膨出部２２４の上端から径(外周)方向に延出する外延部２２７を有する。外延部２２７は、膨出部の上端から水平方向に延出している。外延部２２７は、周方向にわたって延出することで環状に形成されている。
【００８８】
膨出部２２４は、平面視で、径方向の最外端を結ぶ仮想線２２４Ｉが外装体２０３の第１の開口端２３１と相似形状、かつ第１の開口端２３１に対して相似比は僅かに小さくなるように形成されている。本実施の形態において、フランジＦの外周が正円に形成されており、膨出部２２４の最外端を結ぶ仮想線２２４Ｉと一致する。膨出部２２４は、側面視で、矩形状に形成されており、側壁部２２６との境界である下側に段２２８を形成する。側壁部２２６は段２２８から下方に向けて縮径する。
【００８９】
高台２２５は、平面視で、下端に相当する径方向の最外端を結ぶ仮想線２２５Ｉが外装体２０３の第１の開口端２３１および第２の開口端２３２と相似形状、かつ第１の開口端２３１に対して相似比は小さく、第２の開口端２３２に対して相似比は大きくなるように形成されている。
【００９０】
高台２２５は、下方ほど径方向に広がるように傾斜する傾斜部２２５aを有し、側壁部２２６と傾斜部２２５ａとの境界に括れ２２９を形成する。高台２２５は括れ２２９から下方に向けて拡径する。
【００９１】
側壁部２２６は、全体的に下方にかけて縮径しており、外装体２０３の側周部と概ね平行な形状となる。側壁部２２６は、外装体２０３の側周部２３３と略同一の長さ寸法を有する。側壁部２２６は、第１の実施の形態の内容器１０２と同様に、側面視で第１の側壁部と第２の側壁部とを有し、それぞれ異なる角度で略直線状に延びている。しかし、側壁部は、単純に直線状に延びていてもよい。
【００９２】
内容器２０２は、第１の実施の形態の内容器１０２と同様に、結晶性プラスティックを材料として真空成型により形成される。
【００９３】
図１３、図１９および図２０を参照して、外装体２０３が内容器２０２に装着されている状態を説明する。本発明の実施の形態に係る断熱容器２００において、図１８は、図１３のＶ２の部分の拡大側断面図を示し、図１９は、図１３のＷ２の部分の拡大側断面図を示す。
【００９４】
断熱容器２００は、内容器２０２の側壁部２２６と外装体２０３の側周面２３３とが間隔を有するように内容器２０２に外装体２０３が装着され、これにより、中空構造となる。断熱容器２００は、中空構造となることにより、断熱効果が高まる。
【００９５】
外装体２０３は、内容器２０２に着脱可能に支持される。本実施の形態では、外装体２０３が筒状に形成された後、内容器２０２の下側からはめ込まれることにより装着される。はめ込みの作業は相対的なもので、内容器２０２を固定し、下側から外装体２０３をはめ込んでもよいし、外装体２０３を固定し、上側から内容器２０２をはめ込んでもよい。
【００９６】
外装体２０３の第２の開口端２３２は、図１９に示すように、高台２２５の傾斜部２２５ａに接して、外装体２０３は、高台２２５に下方から支持される。内容器２０２は収縮すること場合があるが、その場合であっても、括れ２２９から傾斜部２２５ａのいずれかの位置に接する。すなわち、高台２２５は、外装体支持部として機能する。
【００９７】
外装体２０３の第１の開口端２３１の内側付近は、第１の実施の形態の断熱容器１００と同様の関係で、内容器２０２の膨出部２２４の下側の角２２４ａに接し、外装体２０３は、フランジＦに支持される。しかし、外装体２０３は、フランジＦに支持されなくても、第２の開口端が高台２２５に支持されていれば、内容器２０２に装着されて維持されている。たとえば、内容器２０２が設計値以上に収縮した場合であって、外装体２０３の第１の開口端の内側付近がフランジＦに接しない状態であっても、外装体２０３の第２の開口端が内容器１０２の高台２２５に接していれば、中空構造を維持される。
【００９８】
外装体１０３は、断熱容器２００が作業者に把持されるなどの場合に、径方向の内側にむけて応力を受けることがある。このとき、外装体２０３は、フランジＦと高台２２５とに接して支持され、外装体２０３が大きく変形しなければ、断熱容器２００は中空構造を維持される。
【００９９】
外装体２０３は、断熱容器２００が作業者に水平方向から把持され、持ち上げられる場合に、内容器２０２に対して相対的に上方に移動しようとする。このとき、外装体２０３の縮径する側周面３３が内容器２０２の下側の角２４ａに接している場合は、外装体２０３がフランジＦに支持されて、上方向および内方向に対して、中空構造が維持される。
【０１００】
他方、外装体１０３の縮径する側周面２３３が内容器２０２の下側の角２２４ａに接していない場合は、外装体２０３の第１の開口端２３１が内容器２０２の外延部２２７に接するまで外装体２０３が内容器２０２に対して相対的に上方に移動する。これにより、外装体２０３は、上方向に対しては外延部２２７に支持され、内方向に対しては膨出部２２４の下側の角２２４ａに支持されることになり、中空構造が維持される。
【０１０１】
外装体２０３が内容器２０２に対して相対的に上方向に移動するとき、膨出部２２４の下の角２２４ａが側周面２３３の内側に接する前に、第１の開口端２３１が、内容器２０２の外延部２２７に接する場合がある。このときは、外装体１０３が上方に応力を受けており、内容器２０２が外装体２０３に支持される。
【０１０２】
また、図１９および図２０に示すように、内容器２０３は、１枚のシート材料から形成されており、開口部２１１、側壁部２２６等は、１枚のシート材料が延びて一重に形成されているが、高台２２５は、１枚のシートが折り返されて二重に形成されている。したがって、高台２２５は、内容器の他の部分よりも強度が高い。ここで１枚のシートとは、単層のシートの他に多層のシートも含む。
【０１０３】
本発明の第２の実施の形態に係る断熱容器２００は、第１の実施例に係る断熱容器１００と同様の製造方法を適用でき、同様の利用方法を適用できる。
【０１０４】
次に、本発明の第１の変形例について、図２１を参照しつつ説明する。図２１は、第１の変形例に係る内容器１２の斜視図を示し、図２１(Ａ)は、内容器１２の上方斜視図であり、図２１(Ｂ)は、内容器１２の下方斜視図である。
【０１０５】
内容器１２は、突出部２５が周方向にわたって連続していない点で、第１の実施の形態の内容器１０２と異なり、その他の点では、同様の構成を有する。
【０１０６】
内容器１２は、径方向に突出する突出部２５を備える。突出部２５は、周方向に間隔をおいて設けられているが、外装体支持部として機能する。突出部２５の最外端を結ぶ仮想線２５Ｉは、正円形となり、外装体１０３の第１の開口端１３１および第２の開口端１３２と相似形状、かつ第１の開口端１３１に対して相似比が小さく、第２の開口端１３２に対して相似比が大きい。
【０１０７】
次に、本発明の第２の変形例について、図２２を参照しつつ説明する。図２２は、第２の変形例に係る内容器２２の斜視図を示し、図２２(Ａ)は、内容器２２の上方斜視図であり、図２２(Ｂ)は、内容器２２の下方斜視図である。
【０１０８】
第２の変形例に係る内容器２２は、開口部が四角形であり、全体的に略載頭四角錐である点で、実施の形態の内容器１０２と異なる。内容器２２は、四角の開口部を有するカップ状に形成されている。外装体(図示しない)は、内容器２２に着脱容易に、載頭四角錐に形成される。
【０１０９】
第１および第２の変形例は、第１の実施の形態に係る断熱容器１００の内容器１０２の変形例を示した。しかし、第２の実施の形態に係る断熱容器２００の内容器２０２の変形例もある。すなわち、内容器２０２の高台２２５を周方向にわたって連続していないように形成でき、内容器２０２の開口部２２１の形状を四角形等の円形以外の形状にすることもできる。
【０１１０】
今回開示された実施の形態は例示であってこれに制限されるものではない。本発明は上記で説明した範囲ではなく、特許請求の範囲によって示され、特許請求の範囲と均等の意味および範囲でのすべての変更が含まれることが意図される。
【産業上の利用可能性】
【０１１１】
本発明は、断熱容器に使用できる。
【符号の説明】
【０１１２】
１００,２００    断熱容器
１２,２２,１０２,２０２    内容器
１２１,２２１    開口部
１２２,２２２    底部
１２４,２２４    膨出部
１２４Ｉ,２２４Ｉ    膨出部の外端を結ぶ仮想線
１２５    突出部(外装体支持部)
１２５ａ    突出部の上側の傾斜部
１２５Ｉ    突出部の外端を結ぶ仮想線
２２５    高台(外装体支持部)
２２５ａ    高台の傾斜部
２２５Ｉ    高台の外端を結ぶ仮想線
１２６,２２６    側壁部
１２７,２２７    外延部
１２８,２２８    段
１２９,２２９    括れ
１０３,２０３    外装体
１０３ａ    紙材料
１３１,２３１    第１の開口端
１３２,２３２    第２の開口端
１３３,２３３    側周面
【図１】
2017145046.tif 000003
【図２】
2017145046.tif 000004
【図３】
2017145046.tif 000005
【図４】
2017145046.tif 000006
【図５】
2017145046.tif 000007
【図６】
2017145046.tif 000008
【図７】
2017145046.tif 000009
【図８】
2017145046.tif 000010
【図９】
2017145046.tif 000011
【図１０】
2017145046.tif 000012
【図１１】
2017145046.tif 000013
【図１２】
2017145046.tif 000014
【図１３】
2017145046.tif 000015
【図１４】
2017145046.tif 000016
【図１５】
2017145046.tif 000017
【図１６】
2017145046.tif 000018
【図１７】
2017145046.tif 000019
【図１８】
2017145046.tif 000020
【図１９】
2017145046.tif 000021
【図２０】
2017145046.tif 000022
【図２１】
2017145046.tif 000023
【図２２】
2017145046.tif 000024